(57)【要約】【課題】装着された携帯電子機器の利便性を向上させる携帯電子機器カバーを提供する。【解決手段】携帯電子機器カバー１０は、第１ディスプレイ２１０を有する携帯電子機器２００が着脱自在に装着される装着部１３と、装着部１３を覆うカバー１４と、装着部１３の縁とカバー１４の縁とを連結するヒンジ部１５と、を有するカバー本体１１を備える。携帯電子機器カバー１０は、カバー１４の第１ディスプレイ２１０と対向する側に位置する第２ディスプレイ１２と、を備える。【選択図】図１
2020108039.tif 000002
【特許請求の範囲】
【請求項１】
第１ディスプレイを有する携帯電子機器が着脱自在に装着される装着部と、前記装着部を覆うカバーと、前記装着部の縁と前記カバーの縁とを連結するヒンジ部と、を有するカバー本体と、
前記カバーの前記第１ディスプレイと対向する側に位置する第２ディスプレイと、
を備える携帯電子機器カバー。
【請求項２】
前記装着部に前記携帯電子機器が装着された場合に、
前記カバーは、前記第２ディスプレイを前記第１ディスプレイに重ねる第１状態と、前記第２ディスプレイを前記第１ディスプレイに並べて配置する第２状態と、を有する
請求項１に記載の携帯電子機器カバー。
【請求項３】
前記第２ディスプレイに電力を供給するバッテリをさらに備え、
前記バッテリは、前記装着部に装着された前記携帯電子機器へ電力を供給する、
請求項１又は２に記載の携帯電子機器カバー。
【請求項４】
前記バッテリは、前記装着部に設けられている
請求項３に記載の携帯電子機器カバー。
【請求項５】
前記第２ディスプレイの制御を行う制御部をさらに備える
請求項１から４のいずれか１項に記載の携帯電子機器カバー。
【請求項６】
前記制御部は、前記ヒンジ部に設けられている
請求項５に記載の携帯電子機器カバー。
【請求項７】
前記ヒンジ部に設けられ、前記装着部に装着された前記携帯電子機器に接続される接続部をさらに備え、
前記制御部は、前記接続部に接続された前記携帯電子機器と前記第２ディスプレイとを連動させる
請求項５又は６に記載の携帯電子機器カバー。
【請求項８】
前記制御部は、前記装着部に装着された前記携帯電子機器の前記第１ディスプレイの表示の向きと、前記第２ディスプレイの表示の向きとを同期させる
請求項５から７のいずれか１項に記載の携帯電子機器カバー。
【請求項９】
前記第２ディスプレイは、タッチ検出機能を有し、
前記制御部は、前記第２ディスプレイを介して入力された入力情報を、前記携帯電子機器に出力する
請求項５から８のいずれか１項に記載の携帯電子機器カバー。
【請求項１０】
前記ヒンジ部は、前記装着部と前記カバーとを任意の角度で固定可能な固定機構を有する
請求項１から９のいずれか１項に記載の携帯電子機器カバー。
【請求項１１】
前記携帯電子機器から前記第２ディスプレイへ、前記第２ディスプレイの表示を制御する信号が送信される
請求項１から１０のいずれか１項に記載の携帯電子機器カバー。
【請求項１２】
前記携帯電子機器からの信号を受信するケーブルが、前記ヒンジ部に配置され、
前記ケーブルの長さは可変である
請求項１から１１のいずれか１項に記載の携帯電子機器カバー。
【請求項１３】
前記ケーブルと前記携帯電子機器とを接続するコネクタを有し、
前記コネクタの位置は可変である
請求項１２に記載の携帯電子機器カバー。
【請求項１４】
携帯電子機器カバーと、
第１ディスプレイを有する携帯電子機器と、を備え、
前記携帯電子機器カバーは、
携帯電子機器が着脱自在に装着される装着部と、前記装着部を覆うカバーと、前記装着部の縁と前記カバーの縁とを連結するヒンジ部と、を有するカバー本体と、
前記カバーの前記第１ディスプレイと対向する側に位置する第２ディスプレイと、
を備え、
前記携帯電子機器と前記第２ディスプレイとの間で、信号の送受信が可能である
表示システム。
【請求項１５】
前記携帯電子機器は制御部を有し、
前記制御部は、前記第２ディスプレイの表示を制御する
請求項１４に記載の表示システム。
【請求項１６】
前記制御部から前記第２ディスプレイへ、前記第２ディスプレイの表示を制御する信号が送信される
請求項１５に記載の表示システム。
【請求項１７】
前記第２ディスプレイは、タッチ検出機能を有し、
前記第２ディスプレイは、前記第１ディスプレイへ表示する情報を入力するキーボードである
請求項１４から１６のいずれか１項に記載の表示システム。
【発明の詳細な説明】
【技術分野】
【０００１】
本発明は、携帯電子機器カバー及び表示システムに関する。
【背景技術】
【０００２】
例えば、スマートフォン、タブレット端末等の携帯電子機器は、カバーが装着された状態で用いられる場合がある。例えば、特許文献１には、スマートフォンのディスプレイを覆うカバー本体の外側の面上にディスプレイを配置する構成が開示されている。
【先行技術文献】
【特許文献】
【０００３】
【特許文献１】特開２０１７−１０８９０９号公報
【発明の概要】
【発明が解決しようとする課題】
【０００４】
カバーの外側の面上にディスプレイを設けた場合、ユーザがカバーのディスプレイと携帯電子機器のディスプレイとを同時に視認できない。また、従来のカバーは装着された携帯電子機器を保護することを目的にしており、カバーによって携帯電子機器の利便性を向上させたいとのニーズがある。
【０００５】
本発明の目的は、装着された携帯電子機器の利便性を向上させることができる携帯電子機器カバー及び表示システムを提供することにある。
【課題を解決するための手段】
【０００６】
本発明の一態様の携帯電子機器カバーは、第１ディスプレイを有する携帯電子機器が着脱自在に装着される装着部と、前記装着部を覆うカバーと、前記装着部の縁と前記カバーの縁とを連結するヒンジ部と、を有するカバー本体と、前記カバーの前記第１ディスプレイと対向する側に位置する第２ディスプレイと、を備える。
【０００７】
本発明の一態様の表示システムは、携帯電子機器カバーと、第１ディスプレイを有する携帯電子機器と、を備え、前記携帯電子機器カバーは、携帯電子機器が着脱自在に装着される装着部と、前記装着部を覆うカバーと、前記装着部の縁と前記カバーの縁とを連結するヒンジ部と、を有するカバー本体と、前記カバーの前記第１ディスプレイと対向する側に位置する第２ディスプレイと、を備え、前記携帯電子機器と前記第２ディスプレイとの間で、信号の送受信が可能である。
【図面の簡単な説明】
【０００８】
【図１】図１は、実施形態に係る携帯電子機器カバーの一例を示す外観図である。
【図２】図２は、実施形態に係る携帯電子機器カバーの開状態の一例を示す構成図である。
【図３】図３は、図２におけるＡ−Ａ断面を示す断面図である。
【図４】図４は、実施形態に係る携帯電子機器カバーの開状態の外側の面を示す構成図である。
【図５】図５は、実施形態に係る携帯電子機器カバーの開状態で分解した分解図である。
【図６】図６は、実施形態に係る携帯電子機器カバーの組み立て例を示す図である。
【図７】図７は、実施形態に係る携帯電子機器カバーの他の組み立て例を示す図である。
【図８】図８は、実施形態に係る表示システムの一例を示す構成図である。
【図９】図９は、実施形態に係る表示システムの表示態様の一例を示す図である。
【図１０】図１０は、実施形態に係る携帯電子機器カバー及び携帯電子機器の処理の一例を示すシーケンス図である。
【図１１】図１１は、携帯電子機器カバーが表示する入力画面の一例を示す図である。
【発明を実施するための形態】
【０００９】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
［実施形態］
図１は、実施形態に係る携帯電子機器カバーの一例を示す外観図である。図２は、実施形態に係る携帯電子機器カバーの開状態の一例を示す構成図である。図３は、図２におけるＡ−Ａ断面を示す断面図である。図４は、実施形態に係る携帯電子機器カバーの開状態の外側の面を、詳述すれば携帯電子機器カバーが閉状態の時に外側に位置する面を、示す構成図である。図５は、実施形態に係る携帯電子機器カバーの開状態で分解した分解図である。図６は、実施形態に係る携帯電子機器カバーの組み立て例を示す図である。図７は、実施形態に係る携帯電子機器システムの一例を示す外観図である。
【００１１】
図１に示す携帯電子機器カバー１０は、カバー本体１１に装着された携帯電子機器２００を保護する。携帯電子機器２００は、例えば、スマートフォン、タブレット端末、電子ブックリーダ等を含む。本実施形態では、携帯電子機器２００は、スマートフォンである場合の一例について説明する。
【００１２】
携帯電子機器カバー１０は、状態Ｓ１と、状態Ｓ２と、を有する。状態Ｓ１は、携帯電子機器カバー１０が折りたたまれた状態（閉状態）である。状態Ｓ１は、携帯電子機器カバー１０が携帯電子機器２００を保護する状態である。状態Ｓ２は、携帯電子機器カバー１０が開かれた状態である。状態Ｓ２は、携帯電子機器カバー１０が装着された携帯電子機器２００を利用可能に露出した状態である。図１に示す一例では、携帯電子機器カバー１０は、ブック型カバーである。以下の説明において、携帯電子機器カバー１０の携帯電子機器２００が装着される側を単に内側、その反対側を、すなわち状態Ｓ１において露出されている側を、単に外側と記載される。
【００１３】
図１から図６に示すように、携帯電子機器カバー１０は、カバー本体１１と、第２ディスプレイ１２と、を備える。以下の説明では、携帯電子機器カバー１０は、第２ディスプレイ１２の長手方向が鉛直方向に沿っている場合、縦向きである。携帯電子機器カバー１０は、第２ディスプレイ１２の長手方向が鉛直方向と直交する方向に沿っている場合、横向きである。そして、携帯電子機器カバー１０は、縦向き又は横向きで利用者によって利用される。
【００１４】
カバー本体１１は、装着部１３と、カバー１４と、ヒンジ部１５と、バッテリ１６（図５参照）と、制御ユニット１７（図５参照）と、接続部１８（図２参照）と、を有する。カバー本体１１は、図１に示すように、装着部１３とヒンジ部１５とカバー１４とがこの順番で並んで、一体に形成されている。
【００１５】
装着部１３は、携帯電子機器２００が着脱自在に装着されるカバー本体１１の一部である。装着部１３は、例えば、合成樹脂によって板状に形成されており、表面が被覆されている。装着部１３は、携帯電子機器２００の輪郭よりも大きく形成されている。本実施形態では、装着部１３には、図２に示すように、携帯電子機器２００を装着、固定するためのアタッチメント１９が設けられている。装着部１３は、アタッチメント１９を回転自在に設けてもよい。アタッチメント１９は枠状の構造でもよいし、携帯電子機器２００の背面と対向する底面と、底面から突出して底面の外周に位置する枠状部と、を備える構造でもよい。
【００１６】
カバー１４は、装着部１３を覆うカバー本体１１の一部である。カバー１４は、例えば、合成樹脂によって板状に形成されており、表面が被覆されている。カバー１４は、装着部１３に装着された携帯電子機器２００の表面全体を覆うことが可能であり、装着部１３と略同一の大きさ及び形状で形成されている。携帯電子機器２００の表面は、後述する第１ディスプレイ２１０が設けられた面である。
【００１７】
ヒンジ部１５は、図２に示すように、装着部１３の縁１３ｅとカバー１４の縁１４ｅとを連結するカバー本体１１の一部である。ヒンジ部１５は、装着部１３とカバー１４との継ぎ目である。ヒンジ部１５は、例えば、合成樹脂によって連結部分として形成されている。携帯電子機器カバー１０は、ヒンジ部１５を軸として開閉することが可能である。すなわち、ヒンジ部１５は、装着部１３とカバー１４とを近付けたり、遠ざけたりする中心軸として機能する。
【００１８】
携帯電子機器カバー１０は、ヒンジ部１５を中心に、カバー１４が装着部１３に向かって移動すると、カバー１４が装着部１３の上方に重ねられて当該装着部１３を覆い隠す。換言すると、携帯電子機器カバー１０は、カバー１４の一面１４１が装着部１３の装着面１３１と対向した状態で重ねられる。また、携帯電子機器カバー１０は、装着部１３の上方に重ねられたカバー１４が、装着部１３から離れる方向に移動すると、装着部１３の装着面１３１が露出した状態になる。すなわち、携帯電子機器カバー１０は、装着部１３に装着された携帯電子機器２００を露出した状態になる。
【００１９】
携帯電子機器カバー１０は、図４に示すように、装着部１３の外面１３２と、ヒンジ部１５の外面１５２と、カバー１４の外面１４２とが一体となってカバー本体１１の外面を形成している。
【００２０】
バッテリ１６は、第２ディスプレイ１２に電力を供給する。バッテリ１６は、例えば、カード状の充電可能な電池を含む、バッテリ１６は、図５に示すように、装着部１３に設けられている。例えば、バッテリ１６は、図２に示すアタッチメント１９と装着面１３１との間に位置してもよい。バッテリ１６は、装着面１３１の携帯電子機器２０とは反対側に位置する構造、換言すれば装着部１３に内蔵される構造、にしてもよい。そして、バッテリ１６は、第２ディスプレイ１２、制御ユニット１７及び接続部１８と電気的に接続されている。バッテリ１６と制御ユニット１７とは、例えばＦＰＣ（Flexible  Printed  Circuits）を介して電気的に接続される。バッテリ１６は、接続部１８に接続された携帯電子機器２００に、制御ユニット１７を介して電力を供給してもよい。
【００２１】
制御ユニット１７は、第２ディスプレイ１２と携帯電子機器２００とを連動させる制御を行うユニットである。制御ユニット１７は、制御回路を含む。第２ディスプレイ１２と携帯電子機器２００とを連動させるとは、例えば、携帯電子機器２００が実行している機能に対応した表示を第２ディスプレイ１２に表示させることを含む。第２ディスプレイ１２と携帯電子機器２００とを連動させるとは、例えば、第２ディスプレイ１２の表示の向きと携帯電子機器２００の表示の向きとを合わせることを含む。第２ディスプレイ１２と携帯電子機器２００とを連動させるとは、例えば、携帯電子機器２００から第２ディスプレイ１２へ、第２ディスプレイ１２の表示を制御する信号が、制御ユニット１７を介して、送信されることも含む。制御ユニット１７は、ヒンジ部１５に設けられている。換言すると、制御ユニット１７は、ヒンジ部１５の内部に収容されている。制御ユニット１７は、第２ディスプレイ１２、バッテリ１６及び接続部１８と電気的に接続されている。制御ユニット１７と第２ディスプレイ１２とは、例えばＦＰＣを介して電気的に接続される。制御ユニット１７は、バッテリ１６からの電力によって動作する。制御ユニット１７は、携帯電子機器２００から出力された映像、画像等の情報を第２ディスプレイ１２に表示させる機能を有する。制御ユニット１７は、バッテリ１６の電力供給を制御する機能を有する。制御ユニット１７は、携帯電子機器２００と連動するための制御を行う機能を有する。
【００２２】
本実施形態では、携帯電子機器カバー１０は、制御ユニット１７をヒンジ部１５に設ける場合について説明するが、これに限定されない。例えば、携帯電子機器カバー１０は、制御ユニット１７を装着部１３又はカバー１４に設ける構成としてもよい。例えば、携帯電子機器カバー１０は、制御ユニット１７をカバー本体１１に分散させて配置する構成としてもよい。
【００２３】
接続部１８は、図２に示すように、カバー本体１１のヒンジ部１５に設けられている。接続部１８は、カバー本体１１の装着部１３に装着された携帯電子機器２００に接続される。接続部１８は、例えば、マイクロＵＳＢ（Universal  Serial  Bus）等の携帯電子機器２００に対応したケーブルを用いることができる。接続部１８は、制御ユニット１７と携帯電子機器２００とを電気的に接続する。接続部１８は、例えば、ケーブル１８ａと、コネクタ１８ｂと、を有する。ケーブル１８ａは、制御ユニット１７と携帯電子機器２００との間で信号を伝送する。
【００２４】
本実施形態では、ケーブル１８ａは、電源供給線を含む。これにより、接続部１８は、接続された携帯電子機器２００に電力を供給することができる。コネクタ１８ｂは、ケーブル１８ａの端部に接続されている。コネクタ１８ｂは、ケーブル１８ａに接続されると共に、携帯電子機器２００に、詳述すれば携帯電子機器２００に備えられたコネクタに、接続される構造にしてもよい。種類の異なる複数の携帯電子機器２００の各々を、本実施形態の携帯電子機器カバー１０に装着、接続できるように、コネクタ１８ｂの位置が可変な構造、例えばヒンジ部１５の領域で移動できる構造にしてもよい。接続部１８は、ケーブル１８ａを巻き取る機構を有し、カバー本体１１の内側に引き出すケーブル１８ａの長さを変更可能な構成となっている。
【００２５】
第２ディスプレイ１２は、例えば、液晶ディスプレイ（Liquid  Crystal  Display）、有機ＥＬ（Organic  Electro−Luminescence）パネル、μ―ＬＥＤパネル、ｍｉｎｉ-ＬＥＤパネル等の表示デバイスを含む。第２ディスプレイ１２は、携帯電子機器カバー１０に装着される携帯電子機器２００のサブディスプレイとして機能することができる。第２ディスプレイ１２は、カバー本体１１の装着部１３に装着された携帯電子機器２００の第１ディスプレイ２１０と対向するカバー１４の一面１４１に設けられている。換言すると、第２ディスプレイ１２は、カバー本体１１の内側に、カバー１４の第１ディスプレイ２１０と対向する側に位置している。
【００２６】
本実施形態では、第２ディスプレイ１２は、例えば、タッチパネルである場合、詳述すれば表示機能と共にタッチ検出機能を具備する場合、について説明する。タッチパネルは、表示デバイスと物体の接触を検出する検出装置とを組み合わせたものである。タッチパネルの検出方式は、例えば、静電容量方式、抵抗膜方式、表面弾性波方式、赤外線方式、電磁誘導方式、及び荷重検出方式等の任意の方式でよい。第２ディスプレイ１２は、画像、映像、文字、図形等を表示することができる。第２ディスプレイ１２は、物体の接触を検出した位置を制御ユニット１７に出力する。なお、携帯電子機器カバー１０は、第２ディスプレイ１２に対する接触を検出する必要がない場合、接触位置の検出機能を削除し、表示デバイスのみで第２ディスプレイ１２を構成してもよい。
【００２７】
次に、カバー本体１１の構成の一例を詳細に説明する。図５は、開状態であるカバー本体１１の、内側を示す図を左側に、外側を示す図を右側に示している。図５に示す一例では、装着部１３は、ベース１３ａと、被覆部１３ｂと、を有する。ベース１３ａは、例えば、硬質の部材によって板状に形成されている。ベース１３ａは、バッテリ１６を収容する収容部１３ｃを有する。被覆部１３ｂは、バッテリ１６を収容したベース１３ａの表面全体を覆う部材である。被覆部１３ｂは、防水性を有する。ベース１３ａ及び被覆部１３ｂは、携帯電子機器２００の外部カメラに対応した貫通孔１３ｄが同じ位置に形成されている。装着部１３は、ベース１３ａの内側及び外側に被覆部１３ｂが重ねられて形成されている。
【００２８】
カバー１４は、ベース１４ａと、被覆部１４ｂと、を有する。ベース１４ａは、例えば、板状に形成されている。ベース１４ａは、第２ディスプレイ１２を収容する収容部１４ｃを有する。被覆部１４ｂは、第２ディスプレイ１２の周囲のベース１４ａの表面を覆う部材である。被覆部１４ｂは、第２ディスプレイ１２を露出する貫通孔１４ｄを有する。被覆部１４ｂは、防水性を有する。カバー１４は、ベース１４ａの内側及び外側に被覆部１４ｂが重ねられて形成されている。図２の平面図及び図５の分解図で示すカバー１４の断面図（Ａ−Ａ断面）を図３に示している。
【００２９】
ヒンジ部１５は、ベース１５ａと、被覆部１５ｂと、ヒンジ１５ｃと、を有する。ベース１５ａは、例えば、板状に形成されている。ベース１５ａは、板状に形成された制御ユニット１７とヒンジ１５ｃとが設けられる。被覆部１５ｂは、ベース１５ａに設けられた制御ユニット１７及びヒンジ１５ｃを覆う部材である。被覆部１５ｂは、防水性を有する。ヒンジ１５ｃは、例えば、装着部１３とカバー１４とを開く角度を調整する調整機構を有する。ヒンジ１５ｃは、例えば、装着部１３とカバー１４とを調整した角度で固定するヒンジを用いる固定機構を有する。ヒンジ１５ｃは、携帯電子機器２００に対して第２ディスプレイ１２を任意の角度で傾けた状態を維持可能なヒンジを用いることができる。ヒンジ部１５は、制御ユニット１７とベース１５ａとヒンジ１５ｃとを被覆部１５ｂの内部に収容している。
【００３０】
次に、携帯電子機器カバー１０の組み立ての一例について説明する。図５に示すように、携帯電子機器カバー１０は、装着部１３のベース１３ａにバッテリ１６が装着される。携帯電子機器カバー１０は、カバー１４のベース１４ａに第２ディスプレイ１２が装着される。携帯電子機器カバー１０は、ヒンジ部１５のベース１５ａに制御ユニット１７及びヒンジ１５ｃが装着される。そして、携帯電子機器カバー１０は、第２ディスプレイ１２とバッテリ１６と制御ユニット１７とが電気的に接続される。そして、携帯電子機器カバー１０は、装着部１３のベース１３ａが被覆部１３ｂ、カバー１４のベース１４ａが被覆部１４ｂ、ヒンジ部１５のベース１５ａが被覆部１５ｂによってそれぞれ覆われる。その結果、携帯電子機器カバー１０は、カバー１４に第２ディスプレイ１２が設けられたカバー本体１１となる。そして、図６に示すように、携帯電子機器カバー１０は、ヒンジ部１５の内部の制御ユニット１７に接続部１８が接続される。そして、本実施形態では、携帯電子機器カバー１０は、装着部１３にアタッチメント１９が装着されることで、図２に示した完成品になる。そして、携帯電子機器カバー１０は、装着部１３のアタッチメント１９に携帯電子機器２００が装着されると、当該携帯電子機器２００に接続部１８が接続される。その結果、携帯電子機器カバー１０は、第２ディスプレイ１２と携帯電子機器２００とが連動可能な状態になる。なお、図７に示すように、ケーブル１８ａがヒンジ部１５と装着部１３とに跨って位置し、コネクタ１８ｂが装着部１３に、かつ携帯電子機器２００の下側に位置する構造にしてもよい。
【００３１】
次に、携帯電子機器カバー１０の動作の一例について説明する。携帯電子機器カバー１０は、利用者が携帯電子機器２００を利用しない場合、図１の状態Ｓ１に示すように、折りたたまれた状態となる。すなわち、状態Ｓ１は、カバー１４が第２ディスプレイ１２を携帯電子機器２００の第１ディスプレイ２１０に重ねる第１状態の一例である。この場合、携帯電子機器カバー１０は、カバー１４及び第２ディスプレイ１２が携帯電子機器２００の第１ディプレイ上を覆っているので、外部からの携帯電子機器２００の第１ディスプレイ２１０に対する直接的なダメージを軽減することができる。
【００３２】
また、携帯電子機器カバー１０は、携帯電子機器２００が接続部１８に接続されている場合、バッテリ１６から携帯電子機器２００に電力を供給する。例えば、携帯電子機器２００に一般的なサブディスプレイを接続する場合、携帯電子機器２００が当該サブディスプレイに電力を供給すると、携帯電子機器２００の内蔵バッテリの電力の消耗が大きくなる。これに対し、本実施形態に係る携帯電子機器カバー１０は、バッテリ１６が第２ディスプレイ１２及び接続部１８に接続された携帯電子機器２００の双方に電力を供給するので、携帯電子機器２００の電力消費を軽減させることができる。第２ディスプレイ１２の電源をオフにした時に、バッテリ１６が携帯電子機器２００を充電する動作にしてもよい。例えば、携帯電子機器カバー１０は、容量の大きなバッテリ１６を用いることで、第２ディスプレイ１２及び携帯電子機器２００の長時間の利用を可能とすることができる。さらに、携帯電子機器カバー１０は、携帯電子機器２００の内蔵バッテリの充電に電力を供給することができる。すなわち、携帯電子機器カバー１０は、バッテリ１６を携帯電子機器２００のモバイルバッテリとして機能させることができる。その結果、携帯電子機器カバー１０は、利用者が携帯電子機器カバー１０の他にモバイルバッテリを携帯する必要がなくなるので、利便性を向上させることができる。
【００３３】
携帯電子機器カバー１０は、利用者が携帯電子機器２００を利用する場合、カバー１４が装着部１３からヒンジ部１５を中心に離されることで、図１の状態Ｓ２に示すように、開かれた状態となる。すなわち、状態Ｓ２は、カバー１４が第２ディスプレイ１２を携帯電子機器２００の第１ディスプレイ２１０に並べて配置する第２状態の一例である。この場合、携帯電子機器カバー１０は、カバー１４が第２ディスプレイ１２を携帯電子機器２００の第１ディスプレイ２１０に並べて配置する。図１に示す一例では、携帯電子機器カバー１０は、カバー１４の第２ディスプレイ１２を第１ディスプレイ２１０の左側に配置している。その結果、携帯電子機器カバー１０は、カバー１４の第２ディスプレイ１２と携帯電子機器２００の第１ディスプレイ２１０との双方を利用者に同時に視認させることができる。
【００３４】
以上説明したように、携帯電子機器カバー１０は、携帯電子機器２００を覆うカバー１４の一面１４１に第２ディスプレイ１２を設け、装着部１３に携帯電子機器２００を着脱自在に装着される。これにより、携帯電子機器カバー１０は、利用者の嗜好にあった機種の携帯電子機器２００を保護するとともに、第２ディスプレイ１２による表示を提供することができる。また、携帯電子機器カバー１０は、利用者が携帯電子機器２００を新しく買い替えても、カバー１４の第２ディスプレイ１２を利用者に再利用させることができる。その結果、携帯電子機器カバー１０は、装着された携帯電子機器２００を保護するとともに、携帯電子機器２００の利便性を向上させることができる。
【００３５】
携帯電子機器カバー１０は、装着部１３に携帯電子機器２００が装着された場合、第２ディスプレイ１２を携帯電子機器２００の第１ディスプレイ２１０に並べて配置することができる。これにより、携帯電子機器カバー１０は、第１ディスプレイ２１０と第２ディスプレイ１２との双方を同時に視認させるので、携帯電子機器２００の視認性及び利便性を向上させることができる。
【００３６】
携帯電子機器カバー１０は、第２ディスプレイ１２に電力を供給するバッテリ１６が携帯電子機器２００に電力を供給することができる。これにより、携帯電子機器カバー１０は、携帯電子機器２００が第２ディスプレイ１２を用いても、携帯電子機器２００の内蔵バッテリの電力の消費を低減させることができる。
【００３７】
携帯電子機器カバー１０は、バッテリ１６をカバー本体１１の装着部１３に設けることができる。これにより、携帯電子機器カバー１０は、携帯電子機器２００が装着されていない場合、装着部１３にバッテリ１６、カバー１４に第２ディスプレイをそれぞれ設けているので、カバー本体１１の装着部１３とカバー１４との重さの差を低減させることができる。その結果、携帯電子機器カバー１０は、第２ディスプレイ１２が設けられたカバー１４側が装着部１３側よりも重くなってしまうことを回避することができるので、カバー本体１１の携帯性を向上できる。
【００３８】
携帯電子機器カバー１０は、第２ディスプレイ１２の制御を行う設けることができる。これにより、携帯電子機器カバー１０は、第２ディスプレイ１２の制御、第２ディスプレイ１２への電力制御、システム管理等の制御を行うことができる。その結果、携帯電子機器カバー１０は、装着部１３に装着された携帯電子機器２００の負荷を軽減させることができる。
【００３９】
携帯電子機器カバー１０は、制御ユニット１７をカバー本体１１のヒンジ部１５に設けることができる。これにより、携帯電子機器カバー１０は、カバー本体１１に設ける部材を分散することができる。例えば、カバー本体１１が落下した場合、ヒンジ部１５は、装着部１３及びカバー１４よりも衝撃を受けにくい。これにより、携帯電子機器カバー１０は、カバー本体１１の落下による制御ユニット１７の故障の発生を低減させることができる。
【００４０】
携帯電子機器カバー１０は、ヒンジ部１５に設けられた接続部１８を携帯電子機器２００に接続することで、携帯電子機器２００と第２ディスプレイ１２とを連動させることができる。これにより、携帯電子機器カバー１０は、携帯電子機器２００を接続部１８に接続すればよいので、カバー本体１１の装着部１３の形状、大きさ等に自由度を持たせることができる。すなわち、携帯電子機器カバー１０は、種々異なる機種の携帯電子機器２００の装着に対応することができる。
【００４１】
携帯電子機器カバー１０は、ヒンジ１５ｃによってカバー本体１１の装着部１３とカバー１４とを任意の角度で固定可能としている。これにより、携帯電子機器カバー１０は、第２ディスプレイ１２と携帯電子機器２００の第１ディスプレイ２１０とを並べる角度を任意の角度で固定することができるので、視認性を向上させることができる。
【００４２】
次に、上記の携帯電子機器カバー１０を有する表示システムの一例について説明する。図８は、実施形態に係る表示システム１の一例を示す構成図である。
【００４３】
図８に示す表示システム１は、上記の携帯電子機器カバー１０と、携帯電子機器カバー１０に装着される携帯電子機器２００と、を備える。
【００４４】
携帯電子機器カバー１０は、第２ディスプレイ１２と、バッテリ１６と、制御ユニット１７と、接続部１８と、を備える。本実施形態では、第２ディスプレイ１２は、タッチパネルである場合、表示機能と共にタッチ検出機能を具備する場合、について説明する。
【００４５】
制御ユニット１７は、記憶部１７１と、制御部１７２と、を有する。記憶部１７１は、プログラム及びデータを記憶する。記憶部１７１は、制御部１７２の処理結果を一時的に記憶する。記憶部１７１は、記憶媒体を含む。記憶媒体は、例えば、ＲＯＭ（Read  Only  Memory）、ＲＡＭ（Random  Access  Memory）、メモリカード、光ディスク、又は光磁気ディスク等を含む。
【００４６】
記憶部１７１は、例えば、制御プログラム１７１ａ、設定データ１７１ｂ等を記憶する。制御プログラム１７１ａは、例えば、第２ディスプレイ１２を駆動させるための各種制御に関する機構を提供できる。制御プログラム１７１ａが提供する機能は、例えば、第２ディスプレイ１２の表示、第２ディスプレイ１２による物体の接触位置の検出、接続部１８に接続された携帯電子機器２００との連携等を制御する機能を含む。設定データ１７１ｂは、例えば、第２ディスプレイ１２の動作に関する各種の設定に関する情報を含む。設定データ１７１ｂは、例えば、接続部１８に接続された携帯電子機器２００から要求される第２ディスプレイ１２の設定に関する情報を含んでもよい。設定データ１７１ｂは、例えば、第２ディスプレイ１２の表示領域のサイズ、スペック等を示す表示領域情報を含む。表示領域情報は、例えば、第２ディスプレイ１２に対応したＥＤＩＤ（Extended  Display  Identification  Data）を含んでもよい。記憶部１７１は、第２ディスプレイ１２によって検出された位置等の情報を記憶できる。
【００４７】
制御部１７２は、例えば、ＭＣＵ（Micro  Control  Unit）、ＣＰＵ（Central  Processing  Unit）等を含む。制御部１７２は、第２ディスプレイ１２と、バッテリ１６と、接続部１８と、記憶部１７１と電気的に接続されている。制御部１７２は、制御プログラム１７１ａを実行することにより、第２ディスプレイ１２、バッテリ１６、接続部１８等を制御する。制御部１７２は、携帯電子機器２００から入力された映像、画像等を示す信号を第２ディスプレイ１２に出力する。制御部１７２は、バッテリ１６からの電力を、接続部１８に接続された携帯電子機器２００に接続部１８から供給させる。
【００４８】
接続部１８は、携帯電子機器２００に接続されたケーブル１８ａ及びコネクタ１８ｂを介して、携帯電子機器２００との間で信号の入出力を行う。接続部１８は、制御部１７２から入力された情報を、携帯電子機器２００へ出力する。接続部１８は、携帯電子機器２００から入力された情報を制御部１７２に出力する。なお、本実施形態では、携帯電子機器カバー１０は、接続部１８を備える場合について説明するが、これに限定されない。例えば、携帯電子機器カバー１０は、接続部１８を無線通信装置に置き換えて、携帯電子機器２００と無線通信によって情報の送受信可能な構成としてもよい。
【００４９】
次に、携帯電子機器２００の構成の一例について説明する。携帯電子機器２００は、第１ディスプレイ２１０と、検出部２２０と、通信部２３０と、記憶部２４０と、制御部２５０と、インタフェース部２６０と、電源部２７０と、を備える。以下の説明において、携帯電子機器２００は「自機」と記載する場合がある。
【００５０】
第１ディスプレイ２１０は、例えば、液晶ディスプレイ、有機ＥＬパネル、μ―ＬＥＤパネル、ｍｉｎｉ-ＬＥＤパネル等の表示デバイスを含む。本実施形態では、第１ディスプレイ２１０は、例えば、タッチパネルである場合、表示機能と共にタッチ検出機能を具備する場合、について説明する。第１ディスプレイ２１０は、画像、映像、文字、図形等を表示することができる。第１ディスプレイ２１０は、物体の接触を検出した位置を制御部２５０に出力する。
【００５１】
検出部２２０は、携帯電子機器２００の角度、角速度等を検出する。検出部２２０は、例えば、加速度センサ、方位センサ、ジャイロセンサ、磁気センサ及び気圧センサ等を含む。検出部２２０は、検出結果を制御部２５０に出力する。
【００５２】
通信部２３０は、無線により通信する。通信部２３０は、無線通信規格をサポートする。通信規格は、例えば、３Ｇ、４Ｇ、５Ｇ等のセルラーフォンの通信規格と、近距離無線の通信規格と、を含む。通信部２３０は、受信した情報を制御部２５０に出力する。通信部２３０は、制御部２５０の要求された情報を送信する。
【００５３】
記憶部２４０は、プログラム及びデータを記憶する。記憶部２４０は、制御部２５０の処理結果を一時的に記憶する。記憶部２４０は、記憶媒体を含む。記憶媒体は、例えば、ＲＯＭ、ＲＡＭ、メモリカード、光ディスク、又は光磁気ディスク等を含む。記憶部２４０は、第１ディスプレイ２１０に表示させる画像、映像等のデータを記憶してもよい。
【００５４】
記憶部２４０は、例えば、制御プログラム２４１を記憶する。制御プログラム２４１は、例えば、携帯電子機器２００を稼働させるための各種制御に関する機能を提供できる。制御プログラム２４１は、例えば、携帯電子機器カバー１０の第２ディスプレイ１２の表示制御に関する機能を提供できる。記憶部２４０は、例えば、検出部２２０の検出結果を示すデータ等の各種情報を記憶できる。
【００５５】
制御部２５０は、例えば、ＭＣＵ、ＣＰＵ等を含む。制御部２５０は、携帯電子機器２００の動作を統括的に制御できる。制御部２５０の各種機能は、制御プログラム２４１を実行することによって実現される。
【００５６】
制御部２５０は、例えば、第１ディスプレイ２１０の表示を制御する機能を実現する。制御部２５０は、例えば、携帯電子機器カバー１０の第２ディスプレイ１２の表示との連携を制御する機能を実現する。制御部２５０は、例えば、検出部２２０によって自機の姿勢の変化を検出した場合に、携帯電子機器カバー１０の第２ディスプレイ１２の表示の向きを変更させる機能を実現する。
【００５７】
インタフェース部２６０は、携帯電子機器カバー１０が電気的に接続される。インタフェース部２６０は、接続されたケーブル１８ａを介して、携帯電子機器カバー１０に信号を出力する。インタフェース部２６０は、接続されたケーブル１８ａを介して、携帯電子機器カバー１０から入力された信号を示す情報を制御部２５０に出力する。
【００５８】
電源部２７０は、内蔵バッテリから得られる電力を、第１ディスプレイ２１０及び制御部２５０を含む携帯電子機器２００の各部位へ供給する。電源部２７０は、インタフェース部２６０を介して外部電源から得られる電力を、第１ディスプレイ２１０及び制御部２５０を含む携帯電子機器２００の各部位へ供給するとともに、内蔵バッテリに充電させる。外部電源は、例えば、ＡＣアダプタ、携帯電子機器カバー１０のバッテリ１６等を含む。
【００５９】
図９及び図１０を参照しながら、表示システム１の動作の一例について説明する。図９は、実施形態に係る表示システム１の表示態様の一例を示す図である。図１０は、実施形態に係る携帯電子機器カバー１０及び携帯電子機器２００の処理の一例を示すシーケンス図である。図１０に示す携帯電子機器カバー１０の動作は、携帯電子機器カバー１０の制御部１７２が制御プログラム１７１ａを実行することによって実現される。図１０に示す携帯電子機器２００の動作は、携帯電子機器２００の制御部２５０が制御プログラム２４１を実行することによって実現される。図９では、Ｘ軸、Ｙ軸からなる二次元直交座標系が定義されている。Ｙ軸方向は、鉛直方向である。Ｘ軸方向は、Ｙ軸と直交する方向である。
【００６０】
図９の状態ＳＴ１１では、表示システム１は、携帯電子機器カバー１０の装着部１３に携帯電子機器２００が装着され、携帯電子機器２００が携帯電子機器カバー１０のカバー１４の第２ディスプレイ１２と並べられている。そして、表示システム１は、携帯電子機器カバー１０の第２ディスプレイ１２及び携帯電子機器２００の第１ディスプレイ２１０の長手方向が鉛直方向（Ｙ軸方向）に沿っている。すなわち、表示システム１は、縦向きで（携帯電子機器２００を縦長に配置して）利用者によって利用される。また、携帯電子機器カバー１０は、接続部１８に携帯電子機器２００が接続された場合等に、第２ディスプレイ１２の表示領域情報を携帯電子機器２００に出力している（ステップＳ１００）。そして、携帯電子機器２００は、携帯電子機器カバー１０から第２ディスプレイ１２の表示領域情報を受信すると、当該第２ディスプレイ１２の表示領域情報を記憶部２４０に記憶する（ステップＳ２００）。
【００６１】
携帯電子機器２００は、例えば、所定のタイミングで、第１画面Ｇ１を第１ディスプレイ２１０に表示する（ステップＳ２０１）。所定のタイミングは、例えば、携帯電子機器２００がログインされたタイミング、第１ディスプレイ２１０と第２ディスプレイ１２とを連携させて表示するタイミング等を含む。第１画面Ｇ１は、例えば、待ち受け画面である。第１画面Ｇ１は、例えば、ホーム画面、メール画面、動画再生画面等を含んでもよい。そして、携帯電子機器２００は、第２画面Ｇ２の表示を携帯電子機器カバー１０に要求する（ステップＳ２０２）。例えば、携帯電子機器２００は、記憶部２４０に記憶している表示領域情報に基づいて作成した第２画面Ｇ２の表示要求を、インタフェース部２６０を介して携帯電子機器カバー１０に出力する。第２画面Ｇ２は、例えば、映像を表示する画面である。第２画面Ｇ２は、例えば、入力画面、ブラウザ画面、検索画面等を含んでもよい。
【００６２】
携帯電子機器カバー１０は、携帯電子機器２００からの表示の要求に応じて、第２画面Ｇ２を第２ディスプレイ１２に表示する（ステップＳ１０１）。その結果、表示システム１は、第１ディスプレイ２１０に第１画面Ｇ１、第２ディスプレイ１２に第２画面Ｇ２をそれぞれ縦向きで表示する。
【００６３】
図９では、利用者は、状態ＳＴ１１から状態ＳＴ１２に表示システム１を変化させている。すなわち、携帯電子機器カバー１０及び携帯電子機器２００を縦向きから横向きに変化させている。この場合、携帯電子機器２００は、検出部２２０の検出結果を取得し（ステップＳ２０３）、自機の向きが変化したか否かを判定する（ステップＳ２０４）。そして、携帯電子機器２００は、縦向きから横向きに変化しているので、自機の向きが変化したと判定する（ステップＳ２０４でＹｅｓ）。そして、携帯電子機器２００は、第２画面Ｇ２の表示の向きの変更を携帯電子機器カバー１０に要求する（ステップＳ２０５）。例えば、携帯電子機器２００は、第２画面Ｇ２の表示の向きの変更要求を、インタフェース部２６０を介して携帯電子機器カバー１０に出力する。そして、携帯電子機器２００は、第１ディスプレイ２１０に表示している第２画面の向きを変更する（ステップＳ２０６）。
【００６４】
携帯電子機器カバー１０は、携帯電子機器２００からの変更要求に応じて、第２ディスプレイ１２に表示している第２画面Ｇ２の向きを変更する（ステップＳ１０２）。その結果、表示システム１は、図９の状態ＳＴ１２に示すように、第１ディスプレイ２１０に表示している第１画面Ｇ１の向きと、第２ディスプレイ１２に表示している第２画面Ｇ２の向きとをそれぞれ横向きに変更する。すなわち、携帯電子機器カバー１０は、装着部１３に装着された携帯電子機器２００の第１ディスプレイ２１０の表示向きと、第２ディスプレイ１２の表示の向きとを同期させる。
【００６５】
また、携帯電子機器２００は、自機の向きが変化していないと判定した場合（ステップＳ２０４でＮｏ）、第１画面Ｇ１の表示の向きを変更せず、かつ携帯電子機器カバー１０に第２画面Ｇ２の変更も要求しない。その結果、表示システム１は、第１ディスプレイ２１０及び第２ディスプレイ１２の表示の向きを維持する。
【００６６】
以上説明したように、携帯電子機器カバー１０は、携帯電子機器２００に連動した情報を第２ディスプレイ１２に表示することができる。これにより、携帯電子機器カバー１０は、第２ディスプレイ１２に表示している情報と携帯電子機器２００の第１ディスプレイ２１０に表示している情報とを連動させることで、携帯電子機器カバー１０の付加価値を向上させることができる。
【００６７】
携帯電子機器カバー１０は、携帯電子機器２００からの要求に応じて第２ディスプレイ１２の表示の向きを変更することができる。これにより、携帯電子機器カバー１０は、携帯電子機器２００の第１ディスプレイ２１０の表示の向きと第２ディスプレイ１２の表示の向きとがずれることによる利用者の不快感を軽減させることができる。その結果、携帯電子機器カバー１０は、向きを検出するセンサ等を設けない構造にすることもでき、携帯電子機器カバー１０のコストをアップすることなく、利便性を向上させることができる。
【００６８】
表示システム１は、携帯電子機器カバー１０によって携帯電子機器２００を保護するとともに、第２ディスプレイ１２を携帯電子機器２００のサブディスプレイとして機能させることができる。これにより、表示システム１は、第２ディスプレイ１２を携帯電子機器２００の構成として設けることなく、第２ディスプレイ１２を携帯電子機器２００に利用させることができる。
【００６９】
以上、本発明の好適な実施形態を説明したが、本発明はこのような実施形態に限定されるものではない。実施形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【００７０】
上記の実施形態では、携帯電子機器カバー１０は、第２ディスプレイ１２に動画の第２画面Ｇ２を表示する場合について説明したが、これに限定されない。例えば、携帯電子機器カバー１０は、第２画面Ｇ２を入力画面としてもよい。図１１は、携帯電子機器カバー１０が表示する入力画面の一例を示す図である。図１１に示すように、携帯電子機器カバー１０は、ＱＷＥＲＴＹ配列のキーボードを示す第２画面Ｇ２を表示してもよい。例えば、携帯電子機器カバー１０は、第２ディスプレイ１２を介してキー操作を検出すると、当該キーに対応した文字、数字等を示す入力情報を、携帯電子機器２００に出力してもよい。すなわち、携帯電子機器カバー１０は、第２ディスプレイ１２をキーボードとして機能させてもよい。そして、携帯電子機器２００は、携帯電子機器カバー１０が出力した入力情報を受け付けてもよい。このように、携帯電子機器カバー１０は、携帯電子機器２００のサブディスプレイ及び入力装置として機能することで、汎用性を向上させることができる。
【００７１】
上記の実施形態では、携帯電子機器カバー１０は、装着部１３に携帯電子機器２００が装着されない場合に、第２ディスプレイ１２の表示を可能としてもよい。この場合、携帯電子機器カバー１０は、例えば、記憶部１７１に記憶しているデータ等を表示する構成としてもよい。
【００７２】
上記の実施形態では、表示システム１は、携帯電子機器２００の第１ディスプレイ２１０をメインディスプレイ、携帯電子機器カバー１０の第２ディスプレイ１２をサブディスプレイとする場合について説明したが、これ限定されない。例えば、携帯電子機器２００の第１ディスプレイ２１０をサブディスプレイ、携帯電子機器カバー１０の第２ディスプレイ１２をメインディスプレイとして用いてもよい。
【００７３】
上述した各実施形態は、各構成要素を適宜組み合わせることが可能である。また、本実施形態において述べた態様によりもたらされる他の作用効果について本明細書記載から明らかなもの、又は当業者において適宜想到し得るものについては、当然に本発明によりもたらされるものと解される。
【符号の説明】
【００７４】
１  表示システム
１０  携帯電子機器カバー
１１  カバー本体
１２  第２ディスプレイ
１３  装着部
１３ａ  ベース
１３ｂ  被覆部
１４  カバー
１４ａ  ベース
１４ｂ  被覆部
１５  ヒンジ部
１５ａ  ベース
１５ｂ  被覆部
１５ｃ  ヒンジ
１６  バッテリ
１７  制御ユニット
１８  接続部
１７１  記憶部
１７１ａ  制御プログラム
１７１ｂ  設定データ
１７２  制御部
２００  携帯電子機器
２１０  第１ディスプレイ
２２０  検出部
２３０  通信部
２４０  記憶部
２４１  制御プログラム
２５０  制御部
２６０  インタフェース部
２７０  電源部
【図１】
2020108039.tif 000003
【図２】
2020108039.tif 000004
【図３】
2020108039.tif 000005
【図４】
2020108039.tif 000006
【図５】
2020108039.tif 000007
【図６】
2020108039.tif 000008
【図７】
2020108039.tif 000009
【図８】
2020108039.tif 000010
【図９】
2020108039.tif 000011
【図１０】
2020108039.tif 000012
【図１１】
2020108039.tif 000013